(57)【要約】【課題】本考案は、身体に、複雑な磁気を作用させ、あるいは磁気とマッサージ若しくは指圧とを相乗的に作用させる美容健康器具を提供する。【解決手段】非磁性体からなる中空円筒状容器５の両端に非磁性体からなる蓋体３を取り付け、該中空円筒状容器内には、それぞれ一端をＮ極１１とし、他端をＳ極１３とする複数の円柱状永久磁石７をＮ極同士又はＳ極同士が対向するように配設し、以て該円柱状永久磁石は相互に同極同士で反発することにより該中空円筒状容器内において相互に離間した状態で保持されることを特徴とする磁気美容健康器具１。【選択図】図２
0003205458.tif 000002
【実用新案登録請求の範囲】
【請求項１】
非磁性体からなる中空円筒状容器の両端に非磁性体からなる蓋体を取り付け、該中空円筒状容器内には、それぞれ一端をＮ極とし、他端をＳ極とする複数の円柱状永久磁石をＮ極同士又はＳ極同士が対向するように配設し、以て該円柱状永久磁石は相互に同極同士で反発することにより該中空円筒状容器内において相互に離間した状態で保持されることを特徴とする磁気美容健康器具。
【請求項２】
前記各円柱状永久磁石はネオジウム系磁石であり、前記中空円筒状容器あるいは各蓋体は純チタンからなることを特徴とする請求項１に記載の磁気美容健康器具。
【考案の詳細な説明】
【技術分野】
【０００１】
本考案は、身体に、複雑な磁気を作用させ、あるいは磁気とマッサージ若しくは指圧とを相乗的に作用させる美容健康器具に関する。
【背景技術】
【０００２】
従来から、磁石の磁気作用を利用して身体の血行を良好にするために磁石入りネックレスは販売されており、特許文献１の記載によれば磁気ネックレスの非磁性線材からなる細線に、一端をＮ極、他端をＳ極とする磁石からなる環状体の複数個をＮ極同士あるいはＳ極同士をそれぞれ対面配置して、環状体が互いに同極同士で反発することにより等間隔に離間して保持されている磁石入りネックレスが提供された。
【０００３】
しかし、従来の身に付ける方式の磁石入りネックレスはネックレスの総重量を重くすることができないことにより多くの磁石を使用することができなかったため、磁石入りネックレスは身体に対し複雑あるいは複雑かつ強力な磁気の作用を与えることが難しく、磁石入りネックレスを装着してもネックレス装着部位および全身のツボにマッサージあるいは指圧作用を及ぼすことはできず、美容健康効果が満足できないものであった。
【先行技術文献】
【特許文献】
【０００４】
【特許文献１】実用新案登録第３１０４１７０号公報
【考案の概要】
【考案が解決しようとする課題】
【０００５】
請求項１の考案は、身体に、複雑な磁気を作用させ、あるいは該磁気とマッサージ若しくは指圧とを相乗的に作用させ、身体における磁気美容健康器具使用部位付近のリンパの流れを促進し、血流を促進し、新陳代謝を促進し、皮膚の生まれ変わりを促進し、又は美容液に含まれる美容有効成分の皮膚への浸透力を高め、美容健康効果に優れた磁気美容健康器具を提供することことを目的とする。
【０００６】
請求項２の考案は、請求項１にかかる考案の磁気美容健康器具において、該磁気美容健康器具から発生する磁気を強力にし、磁気美容健康器具と皮膚との親和性を高めることにより、美容健康効果を向上させた磁気美容健康器具を提供することを目的とする。
【課題を解決するための手段】
【０００７】
上記課題を解決するために、本考案は、下記の磁気美容健康器具を提供する。
【０００８】
（１）非磁性体からなる中空円筒状容器の両端に非磁性体からなる蓋体を取り付け、該中空円筒状容器内には、それぞれ一端をＮ極とし、他端をＳ極とする複数の円柱状永久磁石をＮ極同士又はＳ極同士が対向するように配設し、以て該円柱状永久磁石は相互に同極同士で反発することにより該中空円筒状容器内において相互に離間した状態で保持されることを特徴とする磁気美容健康器具（請求項１）。
【０００９】
（２）前記各円柱状永久磁石はネオジウム系磁石であり、前記中空円筒状容器あるいは各蓋体は純チタンからなることを特徴とする請求項１に記載の磁気美容健康器具（請求項２）。
【考案の効果】
【００１０】
請求項１の考案によれば、本考案請求項１に係る磁気美容健康器具に内設された円柱状永久磁石は相互に同極同士で反発して中空円筒状容器内において相互に離間した状態で保持される結果、本考案に係る磁気美容健康器具全体から複雑な磁気が発生するため、該磁気美容健康器具を例えば（イ）身体に当接あるいは押圧させ、（ロ）皮膚の表面に沿って転動あるいは摺動させ、又は（ハ）皮膚に近接させた状態で静止あるいは往復動させることにより、該磁気美容健康器具から発生する複雑な磁気を作用させ、あるいは該磁気とマッサージ若しくは指圧を相乗的に作用させ、身体における磁気美容健康器具使用部位付近のリンパの流れを促進し、血流を促進し、新陳代謝を促進し、皮膚の生まれ変わりを促進し、又は美容液に含まれる美容有効成分の皮膚への浸透力を高め、美容健康効果に優れた美容健康器具を提供することができる。
【００１１】
請求項２の考案によれば、請求項１記載の磁気美容健康器具に内設された永久磁石をネオジウム系磁石とし、中空円筒状容器あるいは各蓋体を純チタンとすることにより、該磁気美容器具から発生する磁気を強力にし、該磁気美容器具と皮膚との親和性を高め、美容健康効果を向上させた磁気美容健康器具を提供することができる。
【図面の簡単な説明】
【００１２】
【図１】図１は、本考案による磁気美容健康器具の一例を示す正面図である。
【図２】図２は、本考案による磁気美容健康器具の一例を示す断面図である。
【図３】図３は、本考案による磁気美容健康器具の一例を拡大して示す部分断面図である。
【図４】図４は、本考案による磁気美容健康器具の使用状態の一例を示す斜視図である。
【図５】図５は、本考案による磁気美容健康器具の使用状態の別の一例を示す斜視図である。
【考案を実施するための形態】
【００１３】
本考案の実施の形態について図面を参照して説明する。                
【００１４】
図１は、本考案の磁気美容健康器具１の正面図を示したものであり、非磁性体からなる中空円筒状容器５の両端に非磁性体からなる蓋体３が取り付けられている。蓋体３は好ましくは、先端を正面視略楕円状とする。請求項２に係る考案においては、中空円筒状容器５あるいは蓋体３は純チタンである。
【００１５】
図２は、本考案の磁気美容健康器具１の横断面図を示したものであり、中空円筒状容器５の内部に、複数個の円柱状永久磁石７をＮ極１１同士又はＳ極１３同士が対向するように配設し、以て該円柱状永久磁石７は相互に同極同士で反発することにより該中空円柱状容器５内において相互に離間し、空間９を有している。請求項２に係る考案においては、円柱状永久磁石７はネオジウム系磁石である。
【００１６】
図３は、本考案の磁気美容健康器具１の横断面の一部を拡大して示したものである。
【００１７】
図４は、本考案の磁気美容健康器具１を２本同時に使用して、人１５の首のツボを蓋体３で押圧する場合を説明するものである。磁気美容健康器具１を当接あるいは押圧する場所は人体のツボが好ましい。同時に複数の磁気美容健康器具を使用することにより美容健康効果を高めることができる。
【００１８】
図５は、本考案の磁気美容健康器具１の中空円筒容器５を人１５の頬の皮膚表面に沿って転動あるいは摺動する場合を説明するものである。中空円筒容器から発生する複雑な磁気と転動あるいは摺動によるマッサージとの相乗効果により、身体における磁気美容健康器具使用部位付近のリンパの流れを促進し、血流を促進し、新陳代謝を促進し、又は皮膚の生まれ変わりを促進する。美容液を塗った皮膚の表面に沿って該中空円筒容器５を転動あるいは摺動することにより、美容液に含まれる美容有効成分の皮膚への浸透力を高めることができる。
【００１９】
このように、本考案の磁気美容健康器具１により、優れた美容健康効果を得ることができる。
【００２０】
以上、添付図面を参照して本考案の好ましい実施形態を説明したが、本考案はかかる実施形態、実施例に限定されるものではなく、実用新案登録請求の範囲の記載から把握される技術的範囲において種々に変更可能である。
【符号の説明】
【００２１】
１  磁気美容健康器具
３  非磁性体からなる蓋体
５  非磁性体からなる中空円筒状容器
７  円柱状永久磁石
９  空間
１１  永久磁石のＮ極
１３  永久磁石のＳ極
１５  人
【図１】
0003205458.tif 000003
【図２】
0003205458.tif 000004
【図３】
0003205458.tif 000005
【図４】
0003205458.tif 000006
【図５】
0003205458.tif 000007